(57)【特許請求の範囲】
【請求項１】
本体の下部に圧縮機、凝縮器、凝縮器用送風機を設置して成る自動販売機において、
前記本体の底面と所定間隔を存して設けられた断熱仕切板と、
該断熱仕切板と底面との間の空間を前後に区画する仕切板とを備え、
該仕切板と前記本体の前面下部との間に前下室を形成し、
前記仕切板と前記本体の後面下部との間に機械室を形成し、
該機械室内に前記凝縮器用送風機、前記凝縮器、前記圧縮機を前から順に配置すると共に、
前記凝縮器用送風機をシロッコファンにて構成し、該凝縮器用送風機の空気取込口を当該凝縮器用送風機に対応した位置の前記本体側面に形成したことを特徴とする自動販売機。
【請求項２】
前記前下室の前面及び後面には、防音材を設けたことを特徴とする請求項１に記載の自動販売機。
【請求項３】
前記空気取込口が形成された前記本体側面には、当該空気取込口に対応して上下に渡る凹陥部を形成したことを特徴とする請求項１又は請求項２に記載の自動販売機。
【発明の詳細な説明】
【０００１】
【発明の属する技術分野】
本発明は、本体下部に圧縮機や凝縮器及び凝縮器用送風機などを設置する機械室を構成する自動販売機に関するものである。
【０００２】
【従来の技術】
従来この種の自動販売機は、断熱箱体から成る本体内上部には商品収納部が構成されると共に、当該本体下部には機械室が構成される。係る自動販売機について図４乃至図６を参照して説明する。図４は従来の自動販売機１００の斜視図、図５は従来の自動販売機１００の本体１０２下部の側面図、図６は自動販売機１００の機械室１０１の平面図を示している。
【０００３】
係る自動販売機１００は、前面に開口を有する断熱箱体から成る本体１０２と、当該前面開口を開閉自在に閉塞する断熱扉１０３とにより構成される。そして、この本体１０２の上部には、図示しない商品収納部が形成され、本体１０２の下部には、断熱壁１０７を介して図５に示す如き機械室１０１が形成される。商品収納部には、当該収納部に収納された商品を冷却又は加温するための冷却器が配設されている。そして、この機械室１０１内には、この冷却器と共に所謂冷凍サイクルを構成する圧縮機１０４と凝縮器１０５と凝縮器用送風機１０６とが配設されている。
【０００４】
これら圧縮機１０４と、凝縮器１０５と、凝縮器用送風機１０６は、機械室１０１の前から順に凝縮器１０５、凝縮器用送風機１０６、圧縮機１０４と配設されており、機械室１０１の前方に対応する位置の本体１０２には、機械室１０１内と外部とが連通する空気取入口１０８が複数形成されている。
【０００５】
以上の構成により、圧縮機１０４が運転され、圧縮機１０４から吐出された高温高圧のガス冷媒は、凝縮器１０５にて凝縮され、図示しない減圧装置にて減圧された後、前記冷却器にて冷却作用を発揮して商品収納部を冷却する。ここで、圧縮機１０４の運転に伴い、凝縮器用送風機１０６が運転され、本体１０２下部に形成された空気取入口１０８より外気が機械室１０１内に吸入され、凝縮器１０５及び圧縮機１０４が空冷される。そして、機械室１０１内に吸入された空気は、本体１０２背面に形成された図示しない空気排出口より外部に排気され、機械室１０１内の廃熱が効率的に外部に排出される。
【０００６】
【発明が解決しようとする課題】
しかしながら、昨今では、自動販売機が屋内に設置されることが増加しており、屋内に設置された自動販売機１００が運転されることにより、機械室１０１内の圧縮機１０４の運転音や凝縮器用送風機１０６の回転音が外部に漏出し、騒音となる問題がある。
【０００７】
騒音発生因子となる圧縮機１０４や凝縮器用送風機１０６が収納されている機械室１０１は、本体１０２の前面に空冷用の空気を機械室１０１内に取り入れるための空気取入口１０８と連通していると共に、係る空気取入口１０８は、特に運転音が設置された屋内に直接伝達され易い本体１０２前面に形成されているため、圧縮機１０４や凝縮器用送風機１０６の運転音が直接外部へ漏出することとなり、騒音の発生を招いていた。
【０００８】
そこで、本発明は、従来の技術的課題を解決するために成されたものであり、圧縮機や送風機の運転による騒音を抑制し、快適に自動販売機の使用を実行することができる自動販売機を提供することを目的とする。
【０００９】
【課題を解決するための手段】
本発明の自動販売機は、本体の下部に圧縮機、凝縮器、凝縮器用送風機を設置して成るものであって、本体の底面と所定間隔を存して設けられた断熱仕切板と、この断熱仕切板と底面との間の空間を前後に区画する仕切板とを備え、この仕切板と本体の前面下部との間に前下室を形成し、仕切板と本体の後面下部との間に機械室を形成し、この機械室内に凝縮器用送風機、凝縮器、圧縮機を前から順に配置すると共に、凝縮器用送風機をシロッコファンにて構成し、この凝縮器用送風機の空気取込口を当該凝縮器用送風機に対応した位置の本体側面に形成したことを特徴とする。
【００１０】
本発明によれば、本体の底面と所定間隔を存して設けられた断熱仕切板と、この断熱仕切板と底面との間の空間を前後に区画する仕切板を備え、この仕切板と本体の後面下部との間に機械室を構成し、この機械室内に圧縮機、凝縮器、凝縮器用送風機を配置すると共に、凝縮器用送風機の空気取込口を、本体の側面に形成したので、機械室内の圧縮機や凝縮器用送風機の運転音が直接前方から漏出することを回避することができ、著しく自動販売機の運転音による騒音を抑制することができるようになる。
【００１１】
特に、仕切板と本体の前面下部との間には前下室を形成しているので、騒音が前方に漏出することが良好に防止される。また、仕切板と本体の後面下部との間の機械室内には、凝縮器用送風機、凝縮器、圧縮機を前から順に配置すると共に、凝縮器用送風機をシロッコファンにて構成し、空気取込口を当該凝縮器用送風機に対応した位置の本体側面に形成したので、シロッコファンが運転されることにより、シロッコファンの軸方向、即ち、空気取込口から外部の空気を吸引し、シロッコファンの半径方向から当該空気を機械室後方に吐出することができるようになる。これにより、機械室内の空気の流通が良好となり、機械室内に配置された凝縮器及び圧縮機を冷却することができ、運転効率を向上させることができるようになる。
【００１２】
請求項２の発明の自動販売機は、上記発明に加えて前下室の前面及び後面には、防音材を設けたことを特徴とする。
【００１３】
請求項２の発明によれば、上記発明に加えて、前下室の前面及び後面には、防音材を設けているので、より一層、圧縮機等の運転音による騒音が前方に漏出することを抑制し、自動販売機の静音化を図ることができるようになる。
【００１４】
請求項３の発明の自動販売機は、上記各発明に加えて、空気取込口が形成された本体側面には、当該空気取込口に対応して上下に渡る凹陥部を形成したことを特徴とする。
【００１５】
請求項３の発明によれば、上記各発明に加えて、空気取込口が形成される本体側面には、空気取込口に対応して上下に渡る凹陥部を形成したので、当該自動販売機の側面が壁などに密着して設置された場合であっても、当該空気取込口が閉塞され、空気の流通が阻害されることを回避することができ、上下に開口された凹陥部を流通する空気を空気取込口を介して機械室内に取り込むことができるようになる。
【００１６】
【発明の実施の形態】
次に、本発明の実施形態を図面に基づき詳述する。図１は本発明の実施形態としての自動販売機１の斜視図、図２は自動販売機１下部の側面図、図３は機械室２１の平面図を示している。
【００１７】
実施例の自動販売機１は缶飲料を冷却或いは加温販売するものであり、前面に開口した断熱箱体から成る本体２と、この本体２に一側を回動自在に枢支された開閉自在の前面扉３とから構成されている。この前面扉３には、複数の商品見本Ｓ・・が陳列された商品ディスプレイ６が設けられており、商品ディスプレイ６の右下隅には、紙幣投入口や金銭表示器、硬貨投入口、硬貨返却口及び返却レバーやキーなどが形成された操作部７が設けられている。また、商品ディスプレイ６の前面には、各商品見本Ｓの下側に対応させて、図示しない選択ボタンがそれぞれ設けられており、前面扉３の下部には販売口１６が配置されている。
【００１８】
この前面扉３の後方には、前面に図示しない断熱扉を有する同じく図示しない商品収納部が本体２内に形成されている。この商品収納部内は複数の図示しない商品ラックが保持されており、商品収納部内に設置される冷却器により所定温度に冷却されている。また、この商品収納部内には、冷却と加温の何れかを選択して切り替え可能とされた操作部が形成されており、この操作部を操作することにより、商品収納部内、又は選択された商品ラックを冷却又は加温可能とされている。
【００１９】
また、商品ラック下部には、図示しない商品排出機構が設けられており、これにより、前記選択ボタンが操作されると、対応した商品が販売口１６から排出される構成とされている。
【００２０】
一方、本体２の下部には、底面とは所定間隔を存して断熱仕切板２０が設けられている。この断熱仕切板２０は、前述の如き販売口１６に対応する前部に、下方に突出した凹部２０Ａが形成される。そして、この断熱仕切板２０の凹部２０Ａの後方であって、断熱仕切板２０下方には、断熱仕切板２０と底面間との空間を前後に区画する仕切板２２が形成されており、この仕切板２２と本体２前面下部との間には前面及び後面に防音材２３が貼付された前下室２４が形成されている。そして、仕切板２２と本体２後面下部との間には、機械室２１が形成されている。
【００２１】
この機械室２１内には、前記冷却器と共に所謂冷凍サイクルを構成する圧縮機２５と凝縮器２６と、凝縮器用送風機としてのシロッコファン２７が配設されている。ここで、これら圧縮機２５、凝縮器２６及びシロッコファン２７は、図２及び図３に示す如く前から順にシロッコファン２７、凝縮器２６、圧縮機２５と配置されている。
【００２２】
凝縮器用送風機としてのシロッコファン２７は、本実施例では、中央に配設された図示しない送風機用モータの両側面にそれぞれ設けられる円筒状のファンであり、このシロッコファン２７には、半径状に、本実施例では外側に向けて突出して形成されるフィン３０が複数形成されている。これにより、送風機用モータ２７を運転すると軸方向から空気を吸い込み半径方向に空気を吐出する構成とされている。
【００２３】
また、両シロッコファン２７及び送風機用モータは、前面、上面、下面を閉塞するダクト板２８により所定間隔を存して囲繞されている。そして、このダクト板２８の後端左右には、図３に示す如くシロッコファン２７側と凝縮器２６側とを区画する仕切板２９、２９がそれぞれ後外方に向けて拡開して設けられている。
【００２４】
そして、前記本体２の側面２Ａであって、機械室２１内に設置されたシロッコファン２７の側面に対応する位置には、図１に示す如く機械室２１内と連通する空気取込口３１が複数形成されている。更に、空気取込口３１が形成された側面２Ａには、空気取込口３１に対応して上下に渡る凹陥部３２が形成されている。
【００２５】
また、本体２背面には、図示しない空気排気口が形成されているものとする。
【００２６】
以上の構成により、前記圧縮機２５が運転されると、圧縮機２５において圧縮された高温高圧冷媒ガスは、凝縮器２６において凝縮され、図示しない減圧装置において減圧された後、前記冷却器に流入し、冷却作用を発揮し、商品収納部内を冷却する。
【００２７】
ここで、圧縮機２５の運転に伴って、前記シロッコファン２７の送風機用モータが運転されると、シロッコファン２７は、軸方向から空気を吸引し、半径方向に空気を吐出する構成とされていることから、本体２の側面に形成された空気取込口３１より機械室２１内に外気が取り込まれる。そして、機械室２１内に取り込まれ、シロッコファン２７により半径方向に吐出された空気は、ダクト板２８及び仕切板２９、２９により機械室後方へ吐出される。
【００２８】
機械室後方へ吐出された空気は、凝縮器２６を空冷した後、凝縮器２６後方に配設された圧縮機２５をも冷却した後、本体２背面に形成された図示しない空気排気口より排気される。これにより、機械室２１内の空気の流通が良好となり、圧縮機２５や凝縮器２６を円滑に冷却することができ、運転効率の向上を図ることができるようになる。
【００２９】
また、本体２の側面２Ａには、空気取込口３１が形成されている箇所に対応して上下に渡って凹陥部３２が形成されているため、当該自動販売機１が設置場所の壁面などに密着して設置された場合であって、空気取込口３１が当該壁面などによって閉塞され、空気の流通が阻害されることを回避することができるようになる。上下に開口された凹陥部３２を流通する空気を空気取込口３１を介して機械室２１内に取り込むことができ、円滑な廃熱処理を行うことが可能となる。
【００３０】
更にまた、上述した如く空気取込口３１は本体２の側面２Ａに形成されているため、機械室２１内の圧縮機２５や凝縮器用送風機としてのシロッコファン２７の運転音が直接前方から漏出することを解消することができ、著しく自動販売機１の運転音による騒音を抑制することができるようになる。
【００３１】
また、本実施例では、機械室２１は、本体２の前面とは、仕切板２２及び前下室２４とを介して形成されるため、より一層、機械室２１内の圧縮機２５やシロッコファン２７の運転音による騒音が前方に漏出することを防止することができるようになる。更に、本実施例では、前下室２４の前面及び後面には、防音材２３が貼付されているため、より一層、圧縮機２５等の運転音による騒音が前方に漏出することを抑制することができ、自動販売機１の静音化を図ることができるようになる。
【００３２】
尚、本実施例では、空気取込口３１及び空気取込口３１に対応して形成される凹陥部３２が本体２の側面２Ａに形成されているが、これ以外に、本体２の背面にこれらを構成しても上述と同様の効果を奏するものとする。
【００３３】
【発明の効果】
以上詳述した如く本発明によれば、本体の底面と所定間隔を存して設けられた断熱仕切板と、この断熱仕切板と底面との間の空間を前後に区画する仕切板を備え、この仕切板と本体の後面下部との間に機械室を構成し、この機械室内に圧縮機、凝縮器、凝縮器用送風機を配置すると共に、凝縮器用送風機の空気取込口を、本体の側面に形成したので、機械室内の圧縮機や凝縮器用送風機の運転音が直接前方から漏出することを回避することができ、著しく自動販売機の運転音による騒音を抑制することができるようになる。
【００３４】
特に、仕切板と本体の前面下部との間には前下室を形成しているので、騒音が前方に漏出することが良好に防止される。また、仕切板と本体の後面下部との間の機械室内には、凝縮器用送風機、凝縮器、圧縮機を前から順に配置すると共に、凝縮器用送風機をシロッコファンにて構成し、空気取込口を当該凝縮器用送風機に対応した位置の本体側面に形成したので、シロッコファンが運転されることにより、シロッコファンの軸方向、即ち、空気取込口から外部の空気を吸引し、シロッコファンの半径方向から当該空気を機械室後方に吐出することができるようになる。
【００３５】
これにより、機械室内の空気の流通が良好となり、機械室内に配置された凝縮器及び圧縮機を冷却することができ、運転効率を向上させることができるようになる。
【００３６】
請求項２の発明によれば、上記発明に加えて、前下室の前面及び後面には、防音材を設けているので、より一層、圧縮機等の運転音による騒音が前方に漏出することを抑制し、自動販売機の静音化を図ることができるようになる。
【００３７】
請求項３の発明によれば、上記各発明に加えて、空気取込口が形成される本体側面には、空気取込口に対応して上下に渡る凹陥部を形成したので、当該自動販売機の側面が壁などに密着して設置された場合であっても、当該空気取込口が閉塞され、空気の流通が阻害されることを回避することができ、上下に開口された凹陥部を流通する空気を空気取込口を介して機械室内に取り込むことができるようになる。
【図面の簡単な説明】
【図１】  本発明の自動販売機の斜視図である。
【図２】  本体下部の側面図である。
【図３】  機械室の平面図である。
【図４】  従来の自動販売機の斜視図である。
【図５】  図４の自動販売機の本体下部の側面図である。
【図６】  図４の自動販売機の機械室の平面図である。
【符号の説明】
１  自動販売機
２  本体
２０  断熱仕切板
２１  機械室
２２  仕切板
２３  防音材
２４  前下室
２５  圧縮機
２６  凝縮器
２７  シロッコファン
３１  空気取込口
【図１】
0004097427.tif 000002
【図２】
0004097427.tif 000003
【図３】
0004097427.tif 000004
【図４】
0004097427.tif 000005
【図５】
0004097427.tif 000006
【図６】
0004097427.tif 000007